(57)【特許請求の範囲】
【請求項１】
駆動装置と、該駆動装置によって回転されるロータと、該ロータに装着され且つ揺動可能なバケットと、該バケット内に収容される試料容器を支持する試料容器保持体とを備えた遠心分離機において、
前記試料容器保持体の下板に前記試料容器の円錐底部を受容可能な弾性体を設け、且つ該弾性体の周囲に円錐底部の頂部よりも長く伸びる筒状部の挿入される収容部を設けることを特徴とする試料容器保持体を有する遠心分離機。
【請求項２】
駆動装置と、該駆動装置によって回転されるロータと、該ロータに装着され且つ揺動可能なバケットと、該バケット内に収容される試料容器を支持する試料容器保持体とを備えた遠心分離機において、
前記試料容器保持体の下板に前記試料容器の球面底部を受容可能な弾性体を設け、且つ該弾性体の周囲に球面底部の頂部よりも長く伸びる筒状部の挿入される収容部を設けることを特徴とする試料容器保持体を有する遠心分離機。
【請求項３】
駆動装置と、該駆動装置によって回転され且つ回転軸に対して一定の角度を有し配されている挿入穴を有するアングルロータと、該アングルロータに形成された穴に収容される試料容器を支持する試料容器保持体とを備えた遠心分離機において、
前記試料容器保持体に前記試料容器の円錐底部を受容可能な弾性体を設け、且つ該弾性体の周囲に円錐底部の頂部よりも長く伸びる筒状部の挿入される収容部を設けることを特徴とする試料容器保持体を有する遠心分離機。
【請求項４】
駆動装置と、該駆動装置によって回転され且つ回転軸に対して一定の角度を有し配されている挿入穴を有するアングルロータと、該アングルロータに形成された穴に収容される試料容器を支持する試料容器保持体とを備えた遠心分離機において、
前記試料容器保持体に前記試料容器の球面底部を受容可能な弾性体を設け、且つ該弾性体の周囲に球面底部の頂部よりも長く伸びる筒状部の挿入される収容部を設けることを特徴とする試料容器保持体を有する遠心分離機。
【発明の詳細な説明】
【０００１】
【発明の属する技術分野】
本発明は、遠心分離作業時に使用される試料容器（チューブ）を収容するための保持体に関するものであり、特にＶ底遠心チューブまたは自立型遠心チューブを安定して保持するため保持体に関するものである。
【０００２】
【従来の技術】
従来、遠心分離作業時には、試料を収容するための試料容器として図５及び図６に示すＶ底遠心チューブ９または自立型遠心チューブ１０が用いられていた。図５に示すＶ底遠心チューブ９は、円筒ボディの底部に円錐部が形成されており、且つ反底部側に試料注入口である開口部が形成されている。また、図６に示す自立型遠心チューブ１０は、上記Ｖ底遠心チューブ９同様に円筒ボディ及び開口部が形成されており、且つその底部に円錐部と該円錐部を囲むように反開口部側に伸びる筒状部が形成されている。なお、この筒状部は円錐部頂部より更に下方へ伸びる長さを有しており、これにより自立型遠心チューブ１０は倒立するように構成されている。
【０００３】
上述したＶ底遠心チューブ９または自立型遠心チューブ１０は、図７に示す保持体１１（チューブラック）内に収容された状態のまま図８に示すスイングロータ１６のバケット１２内に収容され、図示しない遠心分離機用モータによって回転されるスイングロータ１６に揺動可能に装着されているバケット１２が垂直位置から水平位置へとスイングすることで、上記チューブ９，１０内の試料を遠心分離している。図７に示すようにチューブラック１１は一般的に２枚の板を支柱を介して上下に固定されており、且つ上板には上記チューブを挿入するための複数の円形穴が形成されており、更に自立型遠心チューブ１０の場合には、下板にチューブ底部の筒状部を支持するための平坦面を形成すると共に、Ｖ底遠心チューブ９の場合には、下板が平坦面であるチューブ底部の円錐頂点部に応力が集中し破損してしまうなどの問題が生じるため、下板には円錐部の応力を低減するためゴム等の弾性体から成るパットがチューブ底部の対向位置に設けられていた。
【０００４】
また、上記遠心チューブは、図９に示すアングルロータ１４のチューブ穴に挿入される図１０に示すようなアダプタ１５と称される容器保持体に支持されて使用される場合がある。ところが上記アダプタ１５の底部は、Ｖ底遠心チューブ９の円錐部を受容するように形成されているのが一般的であり、自立型遠心チューブ１０に見合った底部を有するアダプタは提供されていなかった。
【０００５】
【発明が解決しようとする課題】
上述したスイングロータ用チューブラックにおいて、遠心チューブの円筒部がほぼ同径であるＶ底遠心チューブ及び自立型遠心チューブが混在していると、作業者が間違ってＶ底遠心チューブを自立型遠心チューブ用ラックに使用してしまったり、自立型遠心チューブをＶ底遠心チューブ用ラックに使用してしまうという問題があった。つまり、前者の場合には、下板が平坦面であるためチューブ底部の円錐頂点部に応力が集中してしまいＶ底遠心チューブが破損してしまうという問題があった。また、後者の場合には、チューブ底部の筒状部がパット上に接触するため、自立型遠心チューブの高さがＶ底遠心チューブの円錐部をパットが受けている時よりも高くなってしまいバケットがスイングした時に突出して高くなった分、自立型遠心チューブがロータに接触し易くなるため、安全性を考えると好ましくはなかった。
【０００６】
また、上記問題は、遠心分離用アングルロータで使用されるＶ底遠心チューブ用アダプタに自立型遠心チューブを挿入した場合にも生じるため問題があった。
【０００７】
更に、自立型遠心チューブの場合には、アダプタの挿入穴底部にチューブ下部の筒状部を支持するための平坦な面と筒状部側面を支持する部分及び試料を収容する円錐部を支持する部分が必要になる。よって、Ｖ底遠心チューブ用アダプタに自立型遠心チューブを使用した場合、自立型遠心チューブの筒状部が挿入穴底部の円錐部を受け入れる部分に引っかかってしまう不都合も生じていた。
【０００８】
本発明の目的は、上記問題を解消し、各遠心チューブを安定して支持することができ、且つ破損を防ぐことで作業性の向上化が図れる容器保持体を提供することである。
【０００９】
【課題を解決するための手段】
上記目的は、遠心分離用スイングロータで使用されるチューブラックの下板にＶ底遠心チューブの円錐部を受ける底ゴムを設置し、且つ底ゴムはロータの回転中、遠心力によって膨張したＶ底遠心チューブの円錐様状部を支持し、底ゴムの外周を自立型遠心チューブ下部の筒状部内径より小さくし底ゴムに自立型遠心チューブの筒状部が引っかからず垂直に自立できるように構成することで達成される。
【００１０】
また、遠心分離用アングルロータで使用されるアダプタでは、挿入穴底部にＶ底遠心チューブ及び自立型遠心チューブの円錐部を受ける底ゴムを設置し、底ゴムはロータの回転中、遠心力によって膨張したＶ底遠心チューブの円錐部及び自立型遠心チューブの円錐部を支持し、底ゴムの外周を円筒面とし、その径を自立型遠心チューブ下部の筒状部内径以下とし、ロータの回転中に自立型遠心チューブの筒状部の側面を支持することで達成される。
【００１１】
【発明の実施の形態】
本実施例における容器保持体を図１乃至図４を用いて説明する。図１は遠心分離用スイングロータに使用されるチューブラックを示す縦断側面図である。チューブラックは上板１と下板２を固定する２本のハンドル３より構成されており、下板２の平坦部４で自立型遠心チューブの筒状部の底面７を支持し、底ゴム５の斜面６でロータ回転中にＶ底遠心チューブの円錐部８を支持する。
【００１２】
図２は遠心分離用アングルロータに使用されるアダプタを示す縦断側面図である。遠心分離用アングルロータ２１のチューブ穴２２に収納されたアダプタ２３の試験管孔２４の底部において平坦部２５で自立型遠心チューブの筒状部分底面７を支持し、底ゴム５の斜面６でロータ回転中にＶ底遠心チューブの円錐部８及び自立型チューブの円錘部２８を支持する。底ゴム５の円筒部２６でロータ回転中に遠心方向に押される自立型遠心チューブの筒状部側面部２７を支持する。
【００１３】
図３は底ゴムを示す縦断側面図である。底ゴム５の平坦部３１は、Ｖ底遠心チューブの頂点面を支持する。底ゴム５の斜面６はロータ回転中に遠心力によって膨張したＶ底遠心チューブの円錐部及び自立型遠心チューブの円錐部を支持する。ロータ回転中に底ゴム５の円筒部２６で遠心力により遠心方向に押された自立型遠心チューブの筒状部分側面部を支持する。
【００１４】
図４は底ゴムの他の例を示す縦断側面図である。底ゴム５の半球面部４１は、丸底の円筒状の遠心チューブの半球面部及び自立型遠心チューブでその下部の試料収納部が半球面のものの半球面部を支持する。ロータ回転中に底ゴム５の円筒部２６で遠心力により遠心方向に押された自立型遠心チューブの筒状部側面部を支持する。
【００１５】
なお、試料容器保持体の円錐部受入部分の強度は、前記２種類の試料容器の円錐部分にかかる遠心力以上であると共に、試料容器保持体の試料容器底部筒状部の側面を支持する部分の強度は、試料容器の筒状部側面部にかかる遠心力以上になっている。
【００１６】
【発明の効果】
本発明によれば、中腹部の径が近接している底部形状の異なる円筒状の遠心チューブを１つの容器保持体において容器座を選択することなく遠心分離用スイングロータまたは遠心分離用アングルロータで使用することができる。
【図面の簡単な説明】
【図１】  本発明になるチューブラックを示す縦断側面図である。
【図２】  本発明になるアダプタを示す縦断側面図である。
【図３】  本発明になる底ゴムを示す縦断側面図である。
【図４】  本発明になる他の底ゴムを示す縦断側面図である。
【図５】  従来のＶ底遠心チューブを示す外観斜視図である。
【図６】  従来の自立型遠心チューブを示す外観斜視図である。
【図７】  従来のチューブラックを示す外観斜視図である。
【図８】  従来のスイングロータを示す外観斜視図である。
【図９】  従来のアングルロータを示す外観斜視図である。
【図１０】  従来のアダプタを示す外観斜視図である。
【符号の説明】
は上板、２は下板、３はハンドル、４は下板の平坦部、５は底ゴム、６は底ゴムの斜面、７は自立型遠心チューブの筒状部分の底面、８はＶ底遠心チューブの円錐様状部分、９はＶ底遠心チューブ、１０は自立型遠心チューブ、１１は保持体、１２はバケット、１３はスイングロータ、１４はアングルロータ、１５はアダプタ、２１は遠心分離用アングルロータ、２２はチューブ穴、２３はアダプタ、２４は試験管孔、２５は試験管孔底部の平坦部、２６は底ゴムの円筒部、２７は自立型遠心チューブの筒状部分側面部、２８は自立型遠心チューブの円錐様状部分、３１は底ゴム平坦部、４１は底ゴムの半球面部、７１はロータボディ、７２はバケットである。
【図１】
0003951602.tif 000002
【図２】
0003951602.tif 000003
【図３】
0003951602.tif 000004
【図４】
0003951602.tif 000005
【図５】
0003951602.tif 000006
【図６】
0003951602.tif 000007
【図７】
0003951602.tif 000008
【図８】
0003951602.tif 000009
【図９】
0003951602.tif 000010
【図１０】
0003951602.tif 000011